(57)【要約】【課題】  デフロスタの使用を適切に促進することが可能な車両用空調制御装置の提供。【解決手段】  車両用空調制御装置は、車両に搭載され、自車における過去のデフロスタの使用状況に関する情報に基づいて、自車におけるデフロスタの使用を促進することを特徴とする。例えば、過去のデフロスタの使用頻度が所定基準以上高いと判断した場合に、自車におけるデフロスタの使用を促進する。一実施例では、自車前方における環境を、環境検出手段により検出された環境に基づいて予測し、予測した環境と同様の環境における過去のデフロスタの使用頻度が高いと判断した場合、自車におけるデフロスタの使用を促進する。【選択図】図２
2014046700.tif 000002
【特許請求の範囲】
【請求項１】
車両に搭載される車両用空調制御装置であって、
自車における過去のデフロスタの使用状況に関する情報に基づいて、自車におけるデフロスタの使用を促進することを特徴とする、車両用空調制御装置。
【請求項２】
前記情報に基づいて、過去のデフロスタの使用頻度が所定基準以上高いと判断した場合に、自車におけるデフロスタの使用を促進する、請求項１に記載の車両用空調制御装置。
【請求項３】
自車内の環境又は自車周辺の環境を検出する環境検出手段と、
前記情報を、前記環境検出手段により検出された環境に紐付けして記憶する記憶装置とを備え、
自車前方における環境を、前記環境検出手段により検出された環境に基づいて予測し、前記記憶装置内の情報に基づいて、予測した環境に対応する環境における過去のデフロスタの使用頻度が所定基準以上高いと判断した場合に、自車におけるデフロスタの使用を促進する、請求項２に記載の車両用空調制御装置。
【請求項４】
デフロスタが使用されるデフロスタ使用モードと、デフロスタが使用されないデフロスタ不使用モードとを含む動作モードを備え、
前記デフロスタの使用を促進することは、前記デフロスタ使用モードへの自動切換えを行うこと、又は、前記デフロスタ使用モードへの切換えを促すメッセージを出力することである、請求項１〜３のうちのいずれか１項に記載の車両用空調制御装置。
【発明の詳細な説明】
【技術分野】
【０００１】
本発明は、車両用空調制御装置に関する。
【背景技術】
【０００２】
従来から、窓ガラスの曇りを判定したときに窓ガラスの防曇制御を自動的に行う自動制御方式の車両用空調装置が知られている（例えば、特許文献１参照）。この車両用空調装置においては、車室内湿度と曇り限界車室内湿度との関係に基づいて窓ガラスの曇りを判定している。
【先行技術文献】
【特許文献】
【０００３】
【特許文献１】特開2005-306063号公報
【発明の概要】
【発明が解決しようとする課題】
【０００４】
しかしながら、窓ガラスの曇りの要因は、エアコン設定状態、内外気温、湿度等、多種多様であるので、特許文献１に記載の構成のように車室内湿度を考慮するだけでは、デフロスタの使用の必要性を精度良く予測できない虞がある。
【０００５】
そこで、本発明は、デフロスタの使用を適切に促進することが可能な車両用空調制御装置の提供を目的とする。
【課題を解決するための手段】
【０００６】
上記目的を達成するため、本発明の一局面によれば、車両に搭載される車両用空調制御装置であって、
自車における過去のデフロスタの使用状況に関する情報に基づいて、自車におけるデフロスタの使用を促進することを特徴とする、車両用空調制御装置が提供される。
【発明の効果】
【０００７】
本発明によれば、デフロスタの使用を適切に促進することが可能な車両用空調制御装置が得られる。
【図面の簡単な説明】
【０００８】
【図１】一実施例による車両用空調制御装置１の要部構成を示す図である。
【図２】図１に示す主制御部２２により実現される主要処理の一例を示すフローチャートである。
【図３】図１に示す主制御部２２により実現される主要処理の他の一例を示すフローチャートである。
【図４】一実施例によるセンタサーバー１０と車両用空調制御装置１を含むシステム１００全体を示す図である。
【図５】システム１００における車両用空調制御装置１Ａの構成例を示す図である。
【図６】図４に示すシステム１００により実現される主要処理の他の一例を示すフローチャートである。
【図７】図６に示す処理によりセンタサーバー１０に取得される情報の一例を示す図である。
【図８】図６のフローチャートの説明図である。
【発明を実施するための形態】
【０００９】
以下、図面を参照して、本発明を実施するための最良の形態の説明を行う。
【００１０】
図１は、一実施例による車両用空調制御装置１の要部構成を示す図である。車両用空調制御装置１は、主制御部２２を含む。
【００１１】
主制御部２２は、ＥＣＵ（電子制御ユニット）により構成されてよい。主制御部２２は、例えばエアコンＥＣＵであってよい。主制御部２２には、制御対象としてエアコンユニット２４が接続される。エアコンユニット２４は、ブロワモータやコンプレッサ等を含んでよい。エアコンユニット２４は、主制御部２２により吹出モード、吹出温度、吹出風量等が制御される。吹出モードは、ＦＡＣＥモード、Ｂ／Ｌ（バイレベル）モード、ＦＯＯＴモード、Ｆ／Ｄモード（フットデフモード）、ＤＥＦモード（デフモード）等を含んでよい。尚、ＤＥＦモードは、オート及びマニュアルの双方で選択可能とされてよい。また、Ｆ／Ｄモードについても、オート及びマニュアルの双方で選択可能とされてよい。
【００１２】
尚、ＦＡＣＥモード及びＢ／Ｌモードは、デフロスタが使用されないデフロスタ不使用モードに属する。他方、Ｆ／Ｄモード及びＤＥＦモードは、デフロスタが使用されるデフロスタ使用モードに属する。ＦＯＯＴモードは、僅かな風量ながらデフロスタが使用される場合があるので、デフロスタ使用モードとして扱われてもよいし、風量が僅かであるのでデフロスタ不使用モードとして扱われてもよい。本例では、ＦＯＯＴモードは、デフロスタ不使用モードとして扱われる。
【００１３】
主制御部２２には、記憶装置２３が接続される。記憶装置２３は、主制御部２２内部の記憶装置であってもよい。記憶装置２３は、書換え可能な記憶装置（例えばＥＥＰＲＯＭ）であり、過去の自車の運転者（ユーザ）のデフロスタの使用状況に関する情報（以下、デフロスタ使用履歴情報ともいう）が記憶される。デフロスタ使用履歴情報は、ユーザによるマニュアルでのＦ／Ｄモード又はＤＥＦモードに切り換えによるデフロスタの使用のみを対象としてもよい。或いは、デフロスタ使用履歴情報は、かかるマニュアルでのデフロスタの使用のみならず、オートモードでのＦ／Ｄモード又はＤＥＦモードへの切り換えによるデフロスタの使用をも対象としてもよい。
【００１４】
ここで、デフロスタ使用履歴情報は、デフロスタが使用された際の環境と紐付けして記憶されてもよい。このような環境は、自車の曇りの発生要因に関係する任意の環境（自車内の環境及び／又は自車周辺の環境）であり、例えば、エアコン設定状態（例えば、Ａ／Ｃオン／オフ、ＡＵＴＯオン／オフ、外気／内気等）、内外気温（外気温センサ２８や内気温センサ３０の検出結果）、位置情報及び時刻取得部５０からの位置情報及び時刻（時間帯や季節等を含む）、自車の乗員数等に関するものであってよい。尚、同一の車両が複数のユーザにより使用される場合は、デフロスタ使用履歴情報は、ユーザ毎に分けて記憶されてよい。
【００１５】
主制御部２２には、表示部２６が接続される。表示部２６には、エアコンの作動状態（例えば、吹出モード、吹出温度、吹出風量等）が表示されてよい。表示部２６の表示状態は、主制御部２２により制御されてよい。表示部２６は、車室内に配置される。表示部２６は、液晶ディスプレイ、ＨＵＤ（ヘッドアップディスプレイ）、メータ等の任意の形態であってもよい。
【００１６】
主制御部２２には、室外気温Ｔｏを検出する外気温センサ２８、室内気温Ｔｉを検出する内気温センサ３０等が接続される。また、主制御部２２には、ユーザにより操作されるエアコン操作部３２が接続される。尚、エアコン操作部３２は、任意のユーザインターフェースであってよく、例えば機械式スイッチやレバー等であってもよいし、タッチパネルディスプレイに配置されるタッチスイッチ等であってもよい。また、エアコン操作部３２は、音声認識機能によりユーザからの指示を受けるものであってもよい。
【００１７】
主制御部２２には、位置情報及び時刻取得部５０が接続される。位置情報及び時刻取得部５０は、車両の位置情報及び現在の時刻（日時）を取得する。位置情報及び時刻取得部５０は、ＧＰＳ衛星からの信号に基づく測位により車両の位置情報を取得するＧＰＳ受信機を含んでよい。
【００１８】
図２は、図１に示す主制御部２２により実現される主要処理の一例を示すフローチャートである。図２に示す処理ルーチンは、例えばイグニッションスイッチがオンされたときに起動される。
【００１９】
ステップ２００では、主制御部２２は、自車のエアコン設定状態を確認する。
【００２０】
ステップ２０２では、主制御部２２は、上記ステップ２００の確認結果に基づいて、エアコン設定状態がＡ／Ｃオン且つＡＵＴＯであるか否かを判定する。エアコン設定状態がＡ／Ｃオン且つＡＵＴＯである場合は、ステップ２０４に進み、それ以外の場合は、そのまま終了する。尚、この場合、その後、エアコン設定状態が定期的に監視されてよく、エアコン設定状態がＡ／Ｃオン且つＡＵＴＯとなった場合、ステップ２０４に進むこととしてもよい。
【００２１】
ステップ２０４では、主制御部２２は、記憶装置２３内のデフロスタ使用履歴情報に基づいて、現在の自車の運転者（ユーザ）に関する過去のデフロスタの使用頻度を算出し、算出したデフロスタの使用頻度が所定基準値より高いか否かを判定する。デフロスタの使用頻度は、現在の環境と無関係な使用頻度（他の要素を考慮しない使用頻度）であってもよいし、現在の環境と同様の環境下での使用頻度であってもよい。後者の場合、上述の如く、デフロスタ使用履歴情報は、そのときの環境に紐付けられた態様で記憶装置２３に記憶される。デフロスタの使用頻度は、デフロスタの使用時間、デフロスタの使用回数等で表されてよく、或いは、車両総使用時間に対するデフロスタの使用時間の割合や、総トリップ数に対するデフロスタの使用トリップ数の割合等で表されてもよい。所定基準値は、相対的にデフロスタの使用頻度が高いか低いかを区別するための基準値であってよく、任意の態様で設定されてもよい。例えば、所定基準値は、多数のユーザからの情報に基づく統計データに決定されてもよい。また、デフロスタの使用頻度は、３段階以上で評価されてもよい。
【００２２】
ステップ２０６では、主制御部２２は、ＡＵＴＯモードを維持して、エアコンユニット２４を制御する。即ち、主制御部２２は、現在の制御方法を変更せず、エアコンユニット２４をＡＵＴＯモードで制御する。尚、この場合も、ＡＵＴＯモードで制御中にフットデフモード又はデフロスタモードの条件が成立した場合は、フットデフモード又はデフロスタモードが実現されうる。
【００２３】
ステップ２０８では、主制御部２２は、フットデフモード又はデフロスタモードに設定する。即ち、主制御部２２は、エアコンユニット２４をフットデフモード又はデフロスタモードに切り換えて制御する。この際、内気（内気循環）である場合は、主制御部２２は、内気から外気（外気導入）に切り換えてもよい。従って、ステップ２０８の処理によれば、例えば現在の動作モードがＦＡＣＥモード、Ｂ／Ｌモード又はＦＯＯＴモードであるとき、フットデフモード又はデフロスタモードに切り換えられる。尚、フットデフモード及びデフロスタモードのいずれが設定されるかは任意であり、設計により予め決定されていてもよいし、ユーザにより選択可能とされてもよい。尚、現在の動作モードが既にフットデフモード又はデフロスタモードであるときは、当該動作モードが維持されてもよい。或いは、現在の動作モードがフットデフモードである場合は、デフロスタの風量が多くなるデフロスタモードに切り換えられてもよい。或いは、過去のデフロスタの使用頻度が所定基準値に比べて有意に多い場合（例えば、デフロスタの使用頻度が３段階以上で評価される構成において、デフロスタの使用頻度が最大レベルである場合）、デフロスタの風量が最も多いデフロスタモードに切り換えられてもよい。或いは、過去のデフロスタの使用時の動作モードについて、フットデフモード又はデフロスタモードのいずれが多いかを判断し、多い方の動作モードが実現されるようにしてもよい。
【００２４】
このように図２に示す処理によれば、自車の運転者に関する過去のデフロスタの使用頻度に基づいて、自車におけるデフロスタの使用の必要性（フットデフモード又はデフロスタモードの要否）を判定するので、精度の良い判定を実現することができる。これにより、デフロスタの使用の必要性が高い場合は、窓の曇りが発生しないようにフットデフモード又はデフロスタモードを自動的に設定することができる。従って、フットデフモード又はデフロスタモードをユーザがマニュアル操作で設定する必要がなく、利便性が高くなる。また、窓の曇りの発生が生じる前にフットデフモード又はデフロスタモードを実現することが可能となるので、窓の曇りに起因した視界不良や運転者のストレスを防止でき、安全運転に寄与することができる。
【００２５】
尚、図２に示す処理では、ステップ２０８にてフットデフモード又はデフロスタモードが自動的に実現されているが、フットデフモード又はデフロスタモードをマニュアル設定するようにアドバイス（メッセージ）を出力することとしてもよい。アドバイスは、音声や表示等の任意の形態で出力されてもよい。
【００２６】
また、図２に示す処理では、ステップ２０８にてフットデフモード又はデフロスタモードが自動的に実現されているが、現在の動作モードを維持しつつ、デフロスタへの風量を自動的に発生又は増加させることで、デフロスタの使用が実現（促進）されてもよい。
【００２７】
また、図２に示す処理において、主制御部２２は、過去のデフロスタの使用状況（使用開始タイミング）に基づいて、上記ステップ２０８の処理の開始タイミングを調整してもよい。この場合、主制御部２２は、例えば過去のマニュアル操作によるデフロスタの使用のタイミングよりも早いタイミングでデフロスタの使用が実現されるように、上記ステップ２０８の処理の開始タイミングを調整してもよい。
【００２８】
図３は、図１に示す主制御部２２により実現される主要処理の他の一例を示すフローチャートである。図３に示す処理ルーチンは、例えばイグニッションスイッチがオンされたときに起動される。
【００２９】
図３に示す処理ルーチンは、図２に示した処理ルーチンに対して、ステップ３０５が追加された点のみが実質的に異なり、図３に示すステップ３００，３０２，３０４，３０６，３０８の各処理は、図２に示した２００，２０２，２０４，２０６，２０８の各処理とそれぞれ同様であってよい。
【００３０】
ステップ３０４で肯定判定されるとステップ３０５に進み、否定判定されるとステップ３０６に進む。
【００３１】
ステップ３０５では、主制御部２２は、現在の温度（例えば外気温）が所定温度よりも低いか否かを判定する。所定温度は、窓の曇りが発生するときの温度（例えば、過去にデフロスタを使用したときの温度）に対応してよい。或いは、自車の窓が曇り始める前にデフロスタが作動し始めるようにするため（即ちデフロスタの事前の作動により自車の窓に曇りが生じないようにするため）、所定温度は、窓の曇りが発生するときの温度よりも高くてもよい。具体的には、過去にデフロスタを使用したときの気温のマップデータを作成し、過去にデフロスタを使用したときの気温領域に、現在の気温が属するか否かを判定してもよい。この場合、マップデータは、地域の特性を加味して変更できるテーブルであってもよい。例えば、マップデータは、地域や時間帯、季節等の環境に応じて複数種類作成されてもよい。また、気温に代えて、内外気温の差が使用されてもよい。また、気温に代えて又は加えて、湿度が考慮されてもよい。例えば、湿度と気温のマップデータ（２次元マップ）が作成されてもよい。現在の温度が所定温度よりも低い場合は、ステップ３０８に進み、それ以外の場合は、ステップ３０６に進む。
【００３２】
図３に示す処理によれば、自車の運転者に関する過去のデフロスタの使用頻度のみならず、周辺の環境（本例では温度）をも考慮して、自車におけるデフロスタの使用の必要性（フットデフモード又はデフロスタモードの要否）を判定するので、より精度の良い判定を実現することができる。
【００３３】
尚、以上説明した実施例では、車両単独で実現できる構成を説明したが、車両の外部のセンタサーバーと協動して実現する構成も可能である。以下では、センタサーバーと協動して実現する構成（システム）の一例を説明する。
【００３４】
図４は、一実施例によるセンタサーバー１０と車両用空調制御装置１Ａを含むシステム１００全体を示す図である。
【００３５】
センタサーバー１０は、図４に模式的に示すように、各車両と通信可能であり、各車両との間の各種情報を交換することができる。例えば、センタサーバー１０は、各車両から各種情報を収集すると共に、各車両に各種情報を供給することができる。センタサーバー１０は、例えば図４に示すように、基地局等を介して、各車両と無線通信網を介して接続されてもよい。センタサーバー１０は、物理的に１つのサーバーである必要はなく、複数個のサーバーの集合体として構成されてもよい。
【００３６】
センタサーバー１０は、各種情報を保有するデータベース１２と、車両との通信のための通信処理を実行する通信処理部１４とを含む。データベース１２は、地図データを保有する地図データベース、天気情報を保有する天気情報データベース、車両情報を保有する車両情報データベース、ユーザの行動履歴を保有するユーザ行動履歴データベース等を含んでよい。ユーザの行動履歴は、ユーザＩＤと共に、操作履歴（特にデフロスタの使用に関する操作履歴、即ち上述したデフロスタ使用履歴情報）を含んでよい。また、操作履歴は、その際の環境（地域、気温、湿度、時間帯、季節等の環境）に対応付けて記憶されてもよい。
【００３７】
図５は、システム１００における車両用空調制御装置１Ａの構成例を示す図である。
【００３８】
車両用空調制御装置１Ａは、図１に示した車両用空調制御装置１の構成例に対して、通信処理部４２及び無線部４０を備える点が主に異なる。具体的には、主制御部２２には、通信処理部４２が接続され、通信処理部４２には無線部４０が接続される。無線部４０は、センタサーバー１０との間の無線通信を行う。通信処理部４２は、センタサーバー１０との通信のための通信処理を実行する。
【００３９】
また、車両用空調制御装置１Ａは、図１に示した車両用空調制御装置１の構成例に対して、自車のデフロスタ使用履歴情報を保持する機能（記憶装置２３）を備えていない点が主に異なる。これは、センタサーバー１０でデフロスタ使用履歴情報の集約が実現されるためである。但し、車両用空調制御装置１Ａが、デフロスタ使用履歴情報を保持する機能（記憶装置２３）を依然として備えることも可能である。
【００４０】
図６は、図４に示すシステム１００により実現される主要処理の他の一例を示すフローチャートである。図６に示す処理ルーチンは、例えばイグニッションスイッチがオンされたときに起動される。尚、以下の説明では、図６に示す処理ルーチンをセンタサーバー１０と協動して行う車両を、自車と称する。図７は、図６に示す処理によりセンタサーバー１０に取得される情報の一例を示す図である。図８は、図６のフローチャートの説明図であり、センタサーバー１０と自車との間の通信で通信される情報の一例や、センタサーバー１０と他車との間で通信される情報の一例を示す図である。
【００４１】
ステップ６００では、主制御部２２は、自車のエアコン設定状態を確認する。
【００４２】
ステップ６０２では、主制御部２２は、上記ステップ６００の確認結果に基づいて、エアコン設定状態がＡ／Ｃオン且つＡＵＴＯであるか否かを判定する。エアコン設定状態がＡ／Ｃオン且つＡＵＴＯである場合は、ステップ６０４に進み、それ以外の場合は、そのまま終了する。尚、この場合、その後、エアコン設定状態が定期的に監視されてよく、エアコン設定状態がＡ／Ｃオン且つＡＵＴＯとなった場合、ステップ６０４に進むこととしてもよい。
【００４３】
ステップ６０４では、主制御部２２は、通信処理部４２及び無線部４０を介して、エアコン設定状態（例えば、Ａ／Ｃオン／オフ、ＡＵＴＯオン／オフ、外気／内気、デフロスタ使用有無等）、内外気温（外気温センサ２８や内気温センサ３０の検出結果）、位置情報及び時刻取得部５０からの位置情報及び時刻をセンタサーバー１０に送信する。これらの情報は、図７に示すように、センタサーバー１０内のデータベース１２内に記憶される。
【００４４】
ステップ６０６では、センタサーバー１０は、自車のルートを予測し、予測ルート上にデフロスタを使用する他車が所定台数以上存在するか否かを判定する。自車のルートは、任意の方法で予測されてよい。例えば、図８に模式的に示すように、自車のルートは、自車から得られるユーザの行動履歴（データベース１２内の同ユーザの過去の行動履歴）に基づいて推定されてもよい。或いは、自車のルートは、自車から通信により取得されてもよいナビゲーション情報（目的地情報や案内ルート情報）に基づいて予測されてもよい。予測ルート上にデフロスタを使用する他車が存在するか否かは、他車から通信により取得されるエアコン設定状態（吹出モード）に基づいて判定されてもよい。例えば、センタサーバー１０は、自車の進行方向前方に位置する他車（予測ルート上の他車）から通信により取得されるエアコン設定状態が、デフロスタの使用を表している場合（例えば、吹出モードがフットデフモード又はデフモードである場合）、予測ルート上にデフロスタを使用する他車が存在すると判定してもよい。所定台数は、１台以上の任意の数であり、例えば１台であってよい。尚、台数に代えて、予測ルート上の全ての他車の数に対する、デフロスタを使用する他車の台数の割合が考慮されてもよい。
【００４５】
ここで、デフロスタを使用する他車の有無を判定する際の予測ルート上の他車は、自車前方であれば任意の他車であってもよいが、好ましくは、自車の窓が曇り始める前にデフロスタが作動し始めるようにするため（即ちデフロスタの事前の作動により自車の窓に曇りが生じないようにするため）、十分前方に位置する他車である。例えば、デフロスタの作動開始時からデフロスタが機能し始めるまでの時間がＴ１である場合、他車の位置は、自車の車速をＶとしたとき、距離Ｖ・Ｔ１以上自車前方である。Ｔ１は、デフロスタの風量、地域、気温、湿度等に応じて変化しうるため、可変値であってもよいし、平均的な所定の固定値であってもよい。
【００４６】
また、前方他車におけるデフロスタの使用は、他車のユーザによるマニュアルでのＦ／Ｄモード又はＤＥＦモードに切り換えによるデフロスタの使用のみを対象としてもよい。或いは、前方他車におけるデフロスタの使用は、かかるデフロスタの使用のみならず、オートモードでのＦ／Ｄモード又はＤＥＦモードへの切り換えによるデフロスタの使用をも対象としてもよい。
【００４７】
予測ルート上にデフロスタを使用する他車が所定台数以上存在する場合は、ステップ６１４に進み、それ以外の場合（予測ルート上にデフロスタを使用する他車が所定台数以上存在しない場合）は、ステップ６０８に進む。
【００４８】
ステップ６０８では、上述した図２のステップ２０４と同様、センタサーバー１０は、自車の運転者のデフロスタの使用頻度が高いか否かを判定する。但し、この判定は、データベース１２内のデフロスタ使用履歴情報に基づいて実行される。自車の運転者のデフロスタの使用頻度が高い場合は、ステップ６１０に進み、自車の運転者のデフロスタの使用頻度が高くない場合は、ステップ６１２に進む。
【００４９】
ステップ６１０では、センタサーバー１０は、現在の湿度が所定湿度より高いか又は現在の温度（例えば外気温）が所定温度よりも低いか否かを判定する。尚、この判定は、主制御部２２により実現されてもよい。現在の湿度は、自車の位置情報に基づいて、対応する位置の湿度情報（天気情報）から判断されてもよい。現在の温度も同様であってよい。これに加えて又は代えて、予測ルート上における自車前方での湿度及び温度が考慮されてもよい。所定湿度及び所定温度は、窓の曇りが発生するときの湿度及び温度（例えば、過去にデフロスタを使用したときの湿度及び温度）に対応してよい。或いは、自車の窓が曇り始める前にデフロスタが作動し始めるようにするため（即ちデフロスタの事前の作動により自車の窓に曇りが生じないようにするため）、所定湿度は、窓の曇りが発生するときの湿度よりも低くてもよく、また、所定温度は、窓の曇りが発生するときの温度よりも高くてもよい。具体的には、湿度と気温のマップデータ（２次元マップ）を作成し、曇りが発生する領域（又は発生し始める領域）に、現在の湿度と気温が属するか否かを判定してもよい。この場合、マップデータは、地域の特性を加味して変更できるテーブルであってもよい。例えば、マップデータは、地域や時間帯、季節等の環境に応じて複数種類作成されてもよい。また、気温に代えて、内外気温の差（他車又は自車における内外気温の差）が使用されてもよい。現在の湿度が所定湿度より高いか又は現在の温度が所定温度よりも低い場合は、ステップ６１４に進み、いずれも満たさない場合は、ステップ６１２に進む。尚、ステップ６０６，６０８及び６１０の判定結果を表す情報は、センタサーバー１０から自車に送信される。主制御部２２は、センタサーバー１０からの判定結果を表す情報に基づいて、以下のステップ６１２又はステップ６１４の処理を実行する。
【００５０】
ステップ６１２では、上述した図２のステップ２０６と同様、主制御部２２は、ＡＵＴＯモードを維持して、エアコンユニット２４を制御する。即ち、主制御部２２は、現在の制御方法を変更せず、エアコンユニット２４をＡＵＴＯモードで制御する。尚、この場合も、ＡＵＴＯモードで制御中にフットデフモード又はデフロスタモードの条件が成立した場合は、フットデフモード又はデフロスタモードが実現されうる。
【００５１】
ステップ６１４では、上述した図２のステップ２０８と同様、主制御部２２は、フットデフモード又はデフロスタモードに設定する。即ち、主制御部２２は、エアコンユニット２４をフットデフモード又はデフロスタモードに切り換えて制御する。この際、内気（内気循環）である場合は、主制御部２２は、内気から外気（外気導入）に切り換えてもよい。
【００５２】
このように図６に示す処理によれば、窓の曇りの発生を精度良く予測し、窓の曇りが発生しないようにフットデフモード又はデフロスタモードを自動的に設定することができる。従って、ユーザは、マニュアル操作でフットデフモード又はデフロスタモードを設定する必要がなく、利便性が高くなる。また、窓の曇りの発生を精度良く予測でき、事前にフットデフモード又はデフロスタモードが設定される場合には、窓の曇りに起因した視界不良や運転者のストレスを防止でき、安全運転に寄与することができる。
【００５３】
また、図６に示す処理によれば、自車の予測ルート上の他車からの実際のデフロスタの使用状況に基づいて、自車のフットデフモード又はデフロスタモードの要否を判定するので、実際の環境に適合した精度の良い判定を実現することができる。
【００５４】
尚、図６に示す処理では、ステップ６０６及びステップ６１０の判定を行っているが、ステップ６０６及びステップ６１０いずれか一方を省略してもよい。また、自車の後続の他車のために（後続の他車において、自車の情報が有効に利用されるように）、ステップ６０４の処理を実行しているが、かかる処理は省略されてもよい。
【００５５】
また、図６に示す処理では、ステップ６１４にてフットデフモード又はデフロスタモードが自動的に実現されているが、フットデフモード又はデフロスタモードをマニュアル設定するようにアドバイス（メッセージ）を出力することとしてもよい。アドバイスは、音声や表示等の任意の形態で出力されてもよい。
【００５６】
以上、本発明の好ましい実施例について詳説したが、本発明は、上述した実施例に制限されることはなく、本発明の範囲を逸脱することなく、上述した実施例に種々の変形及び置換を加えることができる。
【符号の説明】
【００５７】
１、１Ａ    車両用空調制御装置
１０    センタサーバー
１２    データベース
１４    通信処理部
２２    主制御部
２３    記憶装置
２４    エアコンユニット
２６    表示部
２８    外気温センサ
３０    内気温センサ
３２    エアコン操作部
４０    無線部
４２    通信処理部
５０    位置情報及び時刻取得部
【図１】
2014046700.tif 000003
【図２】
2014046700.tif 000004
【図３】
2014046700.tif 000005
【図４】
2014046700.tif 000006
【図５】
2014046700.tif 000007
【図６】
2014046700.tif 000008
【図７】
2014046700.tif 000009
【図８】
2014046700.tif 000010